(57)【要約】【課題】  満員電車の中や、会議中などの公共の場や、会話を禁止されている区域等における携帯電話機の使用勝手を向上できるようにする。【解決手段】  相手方からの着呼に対して音声入力送信処理が制限される動作を”しゃべれないモード”としたとき、”しゃべれないモード”を設定するように操作される操作パネル１８と、ここで設定された”しゃべれないモード”に基づいて相手方からの着呼を受信する無線受信部２１と、この無線受信部２１によって受信した相手方からの着呼に対して文字情報を入力するように操作されるメール作成ブロック６０と、このメール作成ブロック６０によって入力された文字情報を相手方に送信する無線送信部２２とを備えるものである。この構成によって、相手方からの着呼に対して音声入力送信処理に依存することなく、文字入力送信処理によって相手方と意志の疎通を図ることができる。【選択図】  図３
2005354320.tif 000002
【特許請求の範囲】
【請求項１】
相手方からの発呼に対して通信処理をする装置であって、
前記相手方からの発呼に対して音声入力送信処理が制限される動作を音声入力送信禁止モードとしたとき、
前記音声入力送信禁止モードを設定するように操作される操作手段と、
前記操作手段によって設定された音声入力送信禁止モードに基づいて相手方からの発呼を受信する受信手段と、
前記受信手段によって受信した相手方からの発呼に対して文字情報を入力するように操作される文字入力手段と、
前記文字入力手段によって入力された文字情報を相手方に送信する送信手段とを備えることを特徴とする通信処理装置。
【請求項２】
前記受信手段によって受信した相手方からの発呼に対して音声情報を入力する音声入力手段と、
前記音声入力手段又は文字入力手段のいずれかを選択する選択手段と、
前記設定手段によって設定された音声入力送信禁止モードに基づいて前記選択手段の入出力を制御する制御手段とを備えることを特徴とする請求項１に記載の通信処理装置。
【請求項３】
前記制御手段は、
前記設定手段によって音声入力送信禁止モードが設定されたとき、
前記文字入力手段を選択するように前記選択手段を制御することを特徴とする請求項１に記載の通信処理装置。
【請求項４】
前記相手方から受信した音声情報を文字情報に変換する音声文字変換手段と、
前記音声文字変換手段によって変換された文字情報を表示する表示手段とを備えることを特徴とする請求項１に記載の通信処理装置。
【請求項５】
相手方からの発呼に対して通信処理をするシステムであって、
前記相手方からの発呼に対して音声入力送信処理が制限される動作を音声入力送信禁止モードとしたとき、
前記音声入力送信禁止モードを設定して音声受信処理及び文字入力送信処理を実行する被呼側の通信処理装置と、
前記音声入力送信禁止モードが設定された被呼側の通信処理装置に対して音声送信処理及び文字受信処理を実行する発呼側の通信処理装置とを備えることを特徴とする通信処理システム。
【請求項６】
前記通信処理装置は、
前記音声入力送信禁止モードを設定するように操作される操作手段と、
前記操作手段によって設定された音声入力送信禁止モードに基づいて相手方からの発呼を受信する受信手段と、
前記受信手段によって受信した相手方からの発呼に対して文字情報を入力する文字入力手段と、
前記文字入力手段によって入力された文字情報を相手方に送信する送信手段とを有することを特徴とする請求項５に記載の通信処理システム。
【請求項７】
前記受信手段によって受信した相手方からの発呼に対して音声情報を入力する音声入力手段と、
前記音声入力手段又は文字入力手段のいずれかを選択する選択手段と、
前記操作手段によって設定された音声入力送信禁止モードに基づいて前記選択手段の入出力を制御する制御手段とを備えることを特徴とする請求項６に記載の通信処理システム。
【請求項８】
前記制御手段は、
前記操作手段によって音声入力送信禁止モードが設定されたとき、
前記文字入力手段を選択するように前記選択手段を制御することを特徴とする請求項６に記載の通信処理システム。
【請求項９】
前記通信処理装置は、
前記相手方から受信した音声情報を文字情報に変換する音声文字変換手段と、
前記音声文字変換手段によって変換された文字情報を表示する表示手段とを備えることを特徴とする請求項５に記載の通信処理システム。
【請求項１０】
前記発呼側の通信処理装置には文字音声変換手段が備えられ、
前記文字音声変換手段は、
前記相手方から受信した文字情報を音声情報に変換することを特徴とする請求項５に記載の通信処理システム。
【請求項１１】
相手方からの発呼に対して情報を処理する方法であって、
前記相手方からの発呼に対して音声入力送信処理が制限される動作を音声入力送信禁止モードとしたとき、
予め前記音声入力送信禁止モードを設定する工程と、
設定された前記音声入力送信禁止モードに基づいて相手方からの発呼を受信する工程と、
受信した前記相手方からの発呼に対して文字情報を入力する工程と、
入力された前記文字情報を相手方に送信する工程とを有することを特徴とする通信処理方法。
【請求項１２】
受信した前記相手方からの発呼に対して音声情報を入力して送信する処理又は当該相手方からの発呼に対して文字情報を入力して送信する処理のいずれかを前記音声入力送信禁止モードに基づいて選択する工程を有することを特徴とする請求項１１に記載の通信処理方法。
【請求項１３】
前記音声入力送信禁止モードが設定されたとき、
前記相手方からの発呼に対して文字情報を入力して送信する処理を選択することを特徴とする請求項１１に記載の通信処理方法。
【請求項１４】
前記相手方から受信した音声情報を文字情報に変換する工程と、
変換された前記文字情報を表示する工程とを有することを特徴とする請求項１１に記載の通信処理方法。
【請求項１５】
前記音声入力送信禁止モードを被呼側の通信処理装置に設定して音声受信処理及び文字入力送信処理を実行する工程と、
前記音声入力送信禁止モードが設定された被呼側の通信処理装置に対して発呼側の通信処理装置で音声送信処理及び文字受信処理を実行する工程とを有することを特徴とする請求項１１に記載の通信処理方法。
【請求項１６】
前記被呼側の通信処理装置から受信した文字情報を発呼側の通信処理装置で音声情報に変換する工程を有することを特徴とする請求項１５に記載の通信処理方法。
【発明の詳細な説明】
【技術分野】
【０００１】
本発明は、相手方からの発呼に応じて通話をする通話機能と、随時、相手方に対して文字情報を送信するメール機能を備えた携帯電話機に適用して好適な通信処理装置、通信処理システム及び通信処理方法に関する。
【０００２】
詳しくは、相手方からの発呼に対して音声入力送信処理が制限される動作を音声入力送信禁止モードとしたとき、この音声入力送信禁止モードが設定された状態で相手方から受信した発呼に対して、文字入力された文字情報を相手方に送信する送信手段を備え、相手方からの発呼に対して音声入力送信処理に依存することなく、文字入力送信処理によって相手方と意志の疎通を図れるようにすると共に、相手方からの音声受信内容に対して、本来、音声入力送信処理すべき返信内容をその場で文字情報により相手方に返信できるようにしたものである。
【背景技術】
【０００３】
近年、半導体集積回路技術の発達に伴い、多機能を備えた携帯電話機が使用される場合が多くなってきた。現在、通常の会話モードに加えてメール送受信処理機能を備えた携帯電話機が多く使用されるに至っている。図１４は従来例に係る通信処理システム２０１の構成例を示す概念図である。図１４に示す通信処理システム２０１で、使用者Ａの携帯電話機２００は、音声送受信処理部２とメール送受信処理部３と備え、使用者Ｂの携帯電話機２００’も、音声送受信処理部２’とメール送受信処理部３’とを予め装備されている。
【０００４】
この種の携帯電話機で、通常の会話モード時の通信処理例によれば、例えば、使用者Ｂの携帯電話機２００’から通信手段３００を介して使用者Ａを発呼すると、着呼側である使用者Ａの携帯電話機２００が通信手段３００を介して使用者Ｂの携帯電話機２００’に接続される。通常の会話モードでは、使用者Ａの携帯電話機２００も使用者Ｂの携帯電話機２００’も「ボイスモード」に設定される。
【０００５】
ボイスモードが設定されることによって、使用者Ａ，Ｂの携帯電話機２００，２００’のいずれも、音声送受信処理部２，２’が選択される。このボイスモードでは、図１４において、下向き実線矢印で示す音声データが使用者Ｂから使用者Ａへ送信される。使用者Ａの携帯電話機２００では、ボイスモードに基づいて使用者Ｂからの音声データを音声送受信処理部２で処理して使用者Ｂの音声を聞くことができる。
【０００６】
一方、使用者Ｂの携帯電話機２００’では、上向き実線矢印で示す経路で使用者Ａの携帯電話機２００から音声データを受信するようになされる。使用者Ｂの携帯電話機２００’では、ボイスモードに基づいて使用者Ａからの音声データを音声送受信処理部２’で処理して使用者Ａの音声を聞くことができる。
【０００７】
図１５は通信処理システム２０１におけるメールモード時の通信処理例を示す概念図である。図１５に示すメールモード時の通信処理例によれば、使用者Ｂの携帯電話機２００’から通信手段３００を介して使用者Ａを発呼すると、着呼側である使用者Ａの携帯電話機２００が通信手段３００を介して使用者Ｂの携帯電話機２００’に接続される。
【０００８】
メール送受信処理においては、使用者Ａの携帯電話機２００も使用者Ｂの携帯電話機２００’も、メールモードに設定される。メールモードを設定することによって、使用者Ａ，Ｂの携帯電話機２００，２００’のいずれも、メール送受信処理部３、３’が選択される。このメールモードでは、図１５において、下向き白抜き矢印で示すメールデータが使用者Ｂから使用者Ａへ送信される。使用者Ａの携帯電話機２００では、メールモードに基づいて使用者Ｂからのメールデータをメール送受信処理部３で処理して使用者Ｂからの文字情報を視ることができる。
【０００９】
一方、使用者Ｂの携帯電話機２００’では、上向き白抜き矢印で示す経路でメールデータを使用者Ａの携帯電話機２００から受信するようになされる。使用者Ｂの携帯電話機２００’では、メールモードに基づいて使用者Ａからのメールデータをメール送受信処理部３’で処理して使用者Ａからの文字情報を視ることができる。このように通信処理システム２０１を構成すると、使用者Ａと使用者Ｂとの間で意志の疎通を図ることができる。
【００１０】
この種の携帯電話機に関して、特許文献１には、カメラ付き携帯電話装置が開示されている。この携帯電話装置によれば、相手方の端末装置を発呼するための設定メッセージを受信すると、この設定メッセージに基づいて制御情報と発信番号とを読み出す。制御情報は制御命令に変換されてカメラに出力される。カメラは、制御命令に基づいて被写体を撮影し画像データを取得する。チャット管理手段は、メッセージに文字データ又は画像データをセットし、その後、発信番号宛に送信するようになされる。このように装置を構成すると、ネットワークに負担をかけずに、その場で撮影した画像を相手方に送信できるというものである。
【００１１】
【特許文献１】特開２００４−７２６５２号公報（第４頁  図１）
【発明の開示】
【発明が解決しようとする課題】
【００１２】
ところで、特許文献１を含めた従来例に係る通常の会話モードを備えた携帯電話機２００、２００’によれば、次のような問題がある。
【００１３】
ｉ．満員電車の中やバスの中などの公共の場や、会議中、会話を禁止されている区域等におかれた使用者Ａの携帯電話機等で、相手方からの着呼時にその使用勝手が非常に悪いことが知られている。これは、会話禁止エリア等で他の使用者Ｂより、着信を受け取らざるを得ない状況下において、マナー上、従来方式の携帯電話機では、使用者Ａは、声に出して通話をする行為が禁止、または、通話を遠慮しなくてはならない状況下に置かれていることによる。このような場合、着呼側の使用者Ａは、通話の内容を確認せずに、オンフックして、いわゆる、電話を切ってしまう行為で対処しなければならない場合が少なくない。
【００１４】
ii．また、上述のケースで通話の内容は、使用者Ａの簡単な応答で事足りる場合も多く存在する。また、緊急を要する用件であることもあるにも関わらず、従来方式の携帯電話機によれば、このような状況下において、使用者Ａは、電話を切らざるを得ないので、その通話内容や、緊急度すらも確認することができない状態となっている。
【００１５】
iii．なお、言語発声に不自由な使用者が、相手方から送られてくる音声データに基づく通話に対応できていないのが現状である。
【００１６】
そこで、この発明は、このような従来の課題を解決したものであって、満員電車の中やバスの中などの公共の場や、会議中、会話を禁止されている区域等における携帯電話機等の使用勝手を向上できるようにした通信処理装置、通信処理システム及び通信処理方法を提供することを目的とする。
【課題を解決するための手段】
【００１７】
上述した課題は、相手方からの発呼に対して通信処理をする装置であって、相手方からの発呼に対して音声入力送信処理が制限される動作を音声入力送信禁止モードとしたとき、音声入力送信禁止モードを設定するように操作される操作手段と、この操作手段によって設定された音声入力送信禁止モードに基づいて相手方からの発呼を受信する受信手段と、この受信手段によって受信した相手方からの発呼に対して文字情報を入力するように操作される文字入力手段と、この文字入力手段によって入力された文字情報を相手方に送信する送信手段とを備えることを特徴とする通信処理装置によって解決される。
【００１８】
本発明に係る通信処理装置によれば、相手方からの発呼に対して通信処理をする場合に、操作手段は、音声入力送信禁止モードを設定するように操作される。受信手段は、操作手段によって設定された音声入力送信禁止モードに基づいて相手方からの発呼を受信する。文字入力手段は、受信手段によって受信した相手方からの発呼に対して文字情報を入力するように操作される。送信手段は、文字入力手段によって入力された文字情報を相手方に送信するようになされる。
【００１９】
従って、相手方からの発呼に対して音声入力送信処理に依存することなく、文字入力送信処理によって相手方と意志の疎通を図ることができる。これにより、相手方からの発呼に対して音声入力送信処理が制限される環境、例えば、満員電車の中や、会議中などの公共の場や、会話を禁止されている区域等において、相手方からの音声受信内容に対して、本来、音声入力送信処理すべき返信内容をその場で文字情報により相手方に返信することができる。
【００２０】
本発明に係る通信処理システムによれば、相手方からの発呼に対して何らかの通信をする場合に、本発明に係る通信処理装置が応用される。被呼側の通信処理装置は、音声入力送信禁止モードを設定して音声受信処理及び文字入力送信処理を実行し、発呼側の通信処理装置は音声入力送信禁止モードが設定された被呼側の通信処理装置に対して音声送信処理及び文字受信処理を実行する。
【００２１】
従って、相手方からの発呼に対して音声入力送信処理が制限される環境においても、発呼側の通信処理装置を取り扱う使用者と、被呼側の通信処理装置を取り扱う使用者との間で意志の疎通を図ることができる。
【００２２】
本発明に係る通信処理方法は、相手方からの発呼に対して何らかの通信をする方法であって、相手方からの発呼に対して音声入力送信処理が制限される動作を音声入力送信禁止モードとしたとき、予め音声入力送信禁止モードを設定する工程と、設定された音声入力送信禁止モードに基づいて相手方からの発呼を受信する工程と、受信した相手方からの発呼に対して文字情報を入力する工程と、入力された文字情報を相手方に送信する工程とを有することを特徴とするものである。
【００２３】
本発明に係る通信処理方法によれば、相手方からの発呼に対して何らかの通信をする際に、相手方からの発呼に対して音声入力送信処理に依存することなく、文字入力送信処理によって相手方と意志の疎通を図ることができる。
【００２４】
従って、相手方からの発呼に対して音声入力送信処理が制限される環境においても、相手方からの音声受信内容に対して、本来、音声入力送信処理すべき返信内容をその場で文字情報により相手方に返信することができる。
【発明の効果】
【００２５】
本発明に係る通信処理装置によれば、相手方からの発呼に対して何らかの通信をする場合に、音声入力送信禁止モードが設定された状態で相手方から受信した発呼に対して、文字入力された文字情報を相手方に送信する送信手段を備えるものである。
【００２６】
この構成によって、相手方からの発呼に対して音声入力送信処理に依存することなく、文字入力送信処理によって相手方と意志の疎通を図ることができる。従って、相手方からの発呼に対して音声入力送信処理が制限される環境において、相手方からの音声受信内容に対して、本来、音声入力送信処理すべき返信内容をその場で文字情報により相手方に返信することができ、当該通信処理装置を応用した携帯電話機等の使用勝手が格段に向上できるようになる。
【００２７】
本発明に係る通信処理システムによれば、相手方からの発呼に対して何らかの通信をする場合に、本発明に係る通信処理装置が応用され、被呼側の通信処理装置は音声入力送信禁止モードを設定して音声受信処理及び文字入力送信処理を実行し、発呼側の通信処理装置は音声入力送信禁止モードが設定された被呼側の通信処理装置に対して音声送信処理及び文字受信処理を実行する。
【００２８】
この構成によって、相手方からの発呼に対して音声入力送信処理が制限される環境においても、発呼側の通信処理装置を取り扱う使用者と、被呼側の通信処理装置を取り扱う使用者との間で意志の疎通を図ることができる。
【００２９】
本発明に係る通信処理方法によれば、相手方からの発呼に対して何らかの通信をする場合に、予め音声入力送信禁止モードを設定し、ここで設定された音声入力送信禁止モードに基づいて相手方からの発呼を受信し、ここで受信した相手方からの発呼に対して文字情報を入力し、ここで入力された文字情報を相手方に送信するようになされる。
【００３０】
この構成によって、相手方からの発呼に対して音声入力送信処理に依存することなく、文字入力送信処理によって相手方と意志の疎通を図ることができる。従って、相手方からの発呼に対して音声入力送信処理が制限される環境においても、相手方からの音声受信内容に対して、本来、音声入力送信処理すべき返信内容をその場で文字情報により相手方に返信することができる。
【発明を実施するための最良の形態】
【００３１】
続いて、この発明に係る通信処理装置、通信処理システム及び通信処理方法の一実施例について、図面を参照しながら説明をする。図１は、本発明に係る各実施例としての通信処理システム１の構成例を示す概念図である。
【００３２】
図１に示す通信処理システム１は、相手方からの発呼に対して音声入力送信禁止モード（以下”しゃべれないモード”という）に基づき、何らかの通信処理をするシステムである。ここに”しゃべれないモード”とは、相手方からの発呼に対して音声入力送信処理が制限される動作をいう。音声入力送信処理とは、着呼側で使用者が声に出して、その発声を送話器を構成するマイクロフォンを使用して集音し、これを相手方に送信する処理をいう。
【００３３】
通信処理システム１では、通信処理装置の一例となる携帯電話機１００が使用者の一方である、発呼側及び、他方の使用者である着呼（被呼）側に各々準備される。もちろん、通信処理装置は、携帯電話機１００に限られることはなく、ノート型やデスクトップ型のパーソナルコンピュータ等の通信処理機能付きの情報処理装置であっても、また、家庭用の据置型の電話機３０５であってもよい。
【００３４】
この例では、無線基地局３０１や、駅構内のアンテナ設備等の通信手段３００を通じて通信処理可能な携帯電話機１００を例に挙げて説明をする。通信手段３００にはインターネット３０２や、ウェブサーバ３０３、メールサーバ３０４等が含まれる。着呼側の携帯電話機１００では、”しゃべれないモード”を設定して音声受信処理及び文字入力送信処理を実行する。
【００３５】
音声受信処理とは、着呼側で相手方からの音声データを受信してスピーカーや、イヤホン等に出力する処理をいう。使用者は、相手方からの音声情報をスピーカーや、イヤホン等で聞くことができる。文字入力送信処理とは、文字情報を入力して相手方へその文字情報を送信する処理をいう。いわゆる電子メール機能である。使用者は、相手方へ文字情報を送信することができる。
【００３６】
”しゃべれないモード”は、音声入力送信処理が制限される電車等に乗る前や、会議に出席する前に予め設定したり、着呼時に設定してもよい。いずれの場合も、着呼側の携帯電話機１００が”しゃべれないモード”を設定中であることを発呼側の携帯電話機１００’で認知できるものであればよい。
【００３７】
また、発呼側の携帯電話機１００’では、”しゃべれないモード”が設定された着呼側の携帯電話機１００に対して音声入力送信処理及び文字受信処理を実行する。文字受信処理とは、相手方からの文字情報を受信して、その文字情報を表示手段に表示する処理をいう。使用者は、相手方からの文字情報を表示手段で視ることができる。
【００３８】
なお、着呼側の携帯電話機１００が”しゃべれないモード”を設定中であることは、発呼側の携帯電話機１００’で、その発呼時に、着呼側からの識別信号の中にモード設定中信号等を含ませ、これを発呼側で受信し、この識別信号からモード設定中信号を解読することで認知できるようになる。
【００３９】
このように、通信処理システム１によれば、相手方からの発呼に対して何らかの通信をする場合に、着呼側の携帯電話機１００は、”しゃべれないモード”を設定して音声受信処理及び文字入力送信処理を実行する。発呼側の携帯電話機１００’は”しゃべれないモード”が設定された着呼側の携帯電話機１００に対して音声送信処理及び文字受信処理を実行する。
【００４０】
従って、相手方からの発呼に対して音声入力送信処理が制限される環境、例えば、満員電車や、会議中などの公共の場や、会話を禁止されているエリアの状況下においても、発呼側の携帯電話機１００’を取り扱う使用者と、着呼側の携帯電話機１００を取り扱う使用者との間で意志の疎通を図ることができる。
【００４１】
例えば、相手方からの通話の内容が使用者の簡単な応答で事足りる場合に、相手方に文字情報で返事をすることができ、頗る便利である。この通信処理システム１は、特に、緊急を要する用件である場合の通話内容や緊急度等の確認機能及びこれらの発呼側に対する返信機能の向上という面で効果を発揮する。
【００４２】
図２は、各実施例に係る”しゃべれないモード”機能付きの携帯電話機１００の外観例を示す概念図である。図２に示す携帯電話機１００は通信処理装置の一例であり、相手方からの発呼に対して文字情報で通信処理をする装置である。携帯電話機１００は下部筐体１０及び上部筐体２０を備え、これらの筐体１０及び２０間は、回転レンジ機構１１によって可動自在に係合されている。この回転レンジ機構によれば、下部筐体１０の操作面の一端に設けられた図示しない軸部と、下部筐体１０の裏面の一端に設けられた図示しない軸受け部とが回転自在に係合され、上部筐体２０は下部筐体１０に対して角度±１８０°の回転自由度を有して面結合されている。
【００４３】
下部筐体１０には、複数の押しボタンスイッチ１２から成る操作パネル１８が設けられる。押しボタンスイッチ１２は、「０」〜「９」数字キー、「＊」や「＃」等の記号キー、「オン」や「オフ」等のフックボタン、メニューキー等から構成される。下部筐体１０において、操作パネル面の下方には、通話用のマイクロフォン１３が取り付けられ、送話器として機能するようになされる。
【００４４】
また、下部筐体１０の下端部には、モジュール型のアンテナ１６が取り付けられ、その上端内部側面には、大音響用のスピーカー３６ａが設けられ、着信メロディ等を放音するようになされる。下部筐体１０には、バッテリー１４や回路基板１７等が設けられている。上述の下部筐体１０に対して、回転レンジ機構１１によって可動自在に係合された上部筐体２０には、その表面の上方に通話用のスピーカー３６ｂが取り付けられ、携帯電話機本体に耳を近づけることで、受話器として機能するようになされる。
【００４５】
上述のスピーカー３６ａ及び３６ｂの他に、下部筐体１０の側面には、図示しない外部端子にイヤホン３４が着脱自在に接続され、受話器として機能するようになされる。イヤホン３４は、表示手段２９を視ながらメール作成するときに、携帯電話機本体に耳を近づけることができないので、相手方からの音声を聞くために使用される。
【００４６】
このように、着呼側の携帯電話機１００を構成すると、”しゃべれないモード”を設定して音声受信処理及び文字入力送信処理を実行することができる。発呼側の携帯電話機１００’では”しゃべれないモード”が設定された着呼側の携帯電話機１００に対して音声送信処理及び文字受信処理を実行できるようになる。
【００４７】
図３は、携帯電話機１００の内部構成例を示すブロック図である。図３に示す携帯電話機１００は、下部筐体１０の回路基板１７に各機能ブロックを実装して構成される。なお、図１及び図２に示した各部及び手段と対応する部分は、同一符号で示している。
【００４８】
携帯電話機１００は、アンテナ１６、システムバス１９、無線受信部２１、無線送信部２２、アンテナ共用器２３、音声入出力処理部３０、イヤホン３４、スピーカー３６ａ，３６ｂ、モード選択スイッチ４０及びメール作成ブロック６０を備えている。メール作成ブロック６０は、制御手段１５、操作パネル１８、入出力（Ｉ／Ｏ）ポート２５、画像処理部２６及び表示手段２９を有して構成される。
【００４９】
制御手段１５は、ＥＥＰＲＯＭ５２、ＲＯＭ５３、ＲＡＭ５４及びＣＰＵ５５を有している。ＣＰＵ５５はシステムプログラムに基づいて当該電話機全体を制御するようになされる。ＲＯＭ５３には当該電話機全体を制御するためのシステムプログラムデータＤ１が格納される。ＲＡＭ５４はワークメモリとして使用される。ＣＰＵ５５は電源オンと共に、ＲＯＭ５３からシステムプログラムデータＤ１を読み出してＲＡＭ５４に展開し、操作パネル１８からの操作データＤ３に基づいて、当該システムを立ち上げて携帯電話機全体を制御するようになされる。
【００５０】
制御手段１５にはＲＯＭ５３、ＲＡＭ５４等の他にＥＥＰＲＯＭ５２が設けられ、ＥＥＰＲＯＭ５２には相手方の電話番号情報や、メールアドレス、相手方からのメールデータ等が格納される。以下これらの情報を総称して不揮発データＤ４という。
【００５１】
ＣＰＵ５５には入出力（Ｉ／Ｏ）ポート２５が接続される。Ｉ／Ｏポート２５には、操作パネル１８及び表示手段２９が接続される。ＣＰＵ５５は、Ｉ／Ｏポート２５を介して操作パネル１８及び表示手段２９の入出力を制御する。
【００５２】
操作パネル１８は操作手段の一例を構成し、”しゃべれないモード”を設定するように操作される。この例で、操作パネル１８は、”しゃべれないモード”が設定されると、この設定を示す操作データＤ３がＣＰＵ５５に出力される。ＣＰＵ５５は操作データＤ３をデコードしてモード設定情報を検出する。モード設定情報は不揮発データＤ４としてＥＥＰＲＯＭ５２に記憶される。操作パネル１８はメール作成ブロック６０を構成し、無線受信部２１によって受信した相手方からの発呼に対して、相手方へ送信するための文字情報を入力するように操作される。
【００５３】
操作パネル１８には、数字「０」〜「９」から成るテンキーや、「＊」キー、「＃」キー等の記号キーが備えられる。操作パネル１８では、これらのキーを使用して相手方への発信電話番号が入力される。この相手方の電話番号入力時にＥＥＰＲＯＭ５２に記憶された不揮発データＤ４を参照するようにしてもよい。また、これらのキーは、入力モードを変更することで、アルファベットキーやひらがなキー等として使用できるようになされ、メール作成時に、文字情報を入力するように操作される。
【００５４】
ＣＰＵ５５に接続されたＩ／Ｏポート２５には、操作パネル１８の他に表示手段２９が接続され、表示データＤ２に基づいて相手方の電話番号情報や、送信メール作成画面、メール受信画面等を表示するようになされる。表示手段２９には液晶表示装置が使用される。
【００５５】
ＣＰＵ５５にはシステムバス１９が接続される。システムバス１９には、ＲＡＭ５４やＣＰＵ５５等の他に画像処理部２６が接続され、メールデータを画像処理するようになされる。画像処理後の表示データＤ２は表示手段２９に供給される。
【００５６】
上述のシステムバス１９には、音声入力手段を構成する音声入出力処理部３０が接続される。音声入出力処理部３０では、無線受信部２１によって受信した相手方からの発呼に対して、”しゃべれないモード”以外の通常の会話モードが設定されていた場合に、音声信号Ｓinを入力してデジタル処理するようになされる。例えば、音声入出力処理部３０は、音声処理信号Ｓ１に基づいて音声信号Ｓinをアナログ・デジタル変換してデジタルの音声データＤoutを出力する。音声処理信号Ｓ１はＣＰＵ５５から音声入出力処理部３０に出力される。
【００５７】
音声入出力処理部３０には大音響用及び受話器を構成するスピーカー３６ａ、３６ｂが接続される。スピーカー３６ａは、着呼時、着信信号Ｓout１に基づいて着信音や着信メロディ等を鳴動するようになされる。スピーカー３６ｂは、音声信号Ｓout２を入力して相手方の話声等を拡大するようになされる。また、第２の受話器を構成するイヤホン３４は、電話機本体に対して着脱自在に使用される。イヤホン３４は、表示手段２９を視ながらメール作成するときに、相手方からの音声を聞くために使用される。
【００５８】
この音声入出力処理部３０にはスピーカー３６ａ、３６ｂ及びイヤホン３４の他に、送話器を構成するマイクロフォン１３が接続され、操作者の声を集音して音声信号Ｓinを出力するようになされる。”しゃべれないモード”が設定されているときは、マイクロフォン１３の入力機能を停止するようになされる。
【００５９】
上述のＣＰＵ５５は、操作パネル２８によって設定された”しゃべれないモード”に基づいてモード選択スイッチ４０の入出力を制御する。この例でＣＰＵ５５は、”しゃべれないモード”が設定されたとき、メール作成ブロック６０を選択するようにモード選択スイッチ４０を制御する。
【００６０】
音声入出力処理部３０には選択手段の一例となるモード選択スイッチ４０が接続される。モード選択スイッチ４０は、音声入出力処理部３０又はメール作成ブロック６０のいずれかを選択するように操作される。モード選択スイッチ４０は、操作パネル１８から操作データＤ３を入力したＣＰＵ５５により切り換え制御される。例えば、ＣＰＵ５５は操作データＤ３をデコードしてモード選択信号Ｓ２を発生し、このモード選択信号Ｓ２をモード選択スイッチ４０に出力する。
【００６１】
モード選択スイッチ４０は受信切換器４１及び送信切換器４２から構成される。受信切換器４１は接点ａ，ｂ及び中点ｃを有している。接点ａは音声入出力処理部３０に接続され、接点ｂはシステムバス１９に接続され、接点ｃは無線受信部２１に各々接続される。受信切換器４１は、例えば、通常の会話モード時及び”しゃべれないモード”時において、モード選択信号Ｓ２に基づき、接点ａと中点ｃとを接続する。モード選択信号Ｓ２はＣＰＵ５５から受信切換器４１及び送信切換器４２に出力される。この接続によって、音声データＤinが無線受信部２１から音声入出力処理部３０へ出力される。また、受信切換器４１は、モード選択信号Ｓ２に基づいて、接点ｂと中点ｃとを接続する。この接続によって、メールデータＤinが２１からメール作成ブロック６０へ取り込まれる。
【００６２】
送信切換器４２は接点ｄ，ｅ及び中点ｆを有している。接点ｄは音声入出力処理部３０に接続され、接点ｅはシステムバス１９に接続され、接点ｆは無線送信部２２に各々接続される。送信切換器４２は、通常の会話モード時に、モード選択信号Ｓ２に基づいて、接点ｄと中点ｆとを接続する。モード選択信号Ｓ２はＣＰＵ５５から受信切換器４１及び送信切換器４２に出力される。この接続によって、音声データＤoutが音声入出力処理部３０から無線送信部２２へ出力される。また、送信切換器４２は、”しゃべれないモード”時に、モード選択信号Ｓ２に基づいて、接点ｅと中点ｆとを接続する。この接続によって、メールデータＤoutがメール作成ブロック６０から無線送信部２２へ出力される。
【００６３】
また、アンテナ１６は、アンテナ共用器２３に接続され、着呼時、相手方からの無線電波を無線基地局等から受信する。アンテナ共用器２３には受信手段を構成する無線受信部２１が接続され、”しゃべれないモード”に基づいて相手方からの発呼を受信し、アンテナ１６から導かれる受信データを受信する。例えば、無線受信部２１は、受信制御信号Ｓ３に基づいて、メールデータや音声データ等を復調処理し、復調後のメールデータや音声データＤinをＣＰＵ５５等に出力するようになされる。”しゃべれないモード”は、操作パネル１８で設定される。受信制御信号Ｓ３は、ＣＰＵ５５から無線受信部２１へ出力される。
【００６４】
無線受信部２１には、モード選択スイッチ４０を介して上述した音声入出力処理部３０が接続され、デジタルの音声データＤinをデジタル／アナログ変換して音声信号Ｓout１、Ｓout２又はＳout３を出力するようになされる。音声信号Ｓout１はスピーカー３６ａに出力され、音声信号Ｓout２はスピーカー３６ｂに出力され、音声信号Ｓout３はイヤホン３４に各々出力される。
【００６５】
ＣＰＵ５５には無線受信部２１の他に、送信手段を構成する無線送信部２２が接続され、操作パネル１８のメール作成ブロック６０によって入力された文字情報を相手方に送信する。相手方へ送るための文字情報Ｄout等は、送信制御信号Ｓ４に基づいて無線送信部２２で変調処理され、変調後の送信データがアンテナ共用器２３を介してアンテナ１６に供給される。送信制御信号Ｓ４はＣＰＵ５５から無線送信部２２へ出力される。アンテナ１６は、アンテナ共用器２３から供給される無線電波を無線基地局等に向けて輻射するようになされる。
【００６６】
このように携帯電話機１００を構成すると、相手方からの発呼に対して何らかの応答を返す場合に、使用者は、予め操作パネル１８を使用して、”しゃべれないモード”を設定するように操作される。無線受信部２１は、操作パネル１８によって設定された”しゃべれないモード”に基づいて相手方からの発呼を受信する。メール作成ブロック６０は、無線受信部２１によって受信した相手方からの発呼に対して文字情報を入力するように操作される。無線送信部２２は、メール作成ブロック６０によって入力された文字情報を相手方に送信するようになされる。
【実施例１】
【００６７】
図４は、第１の実施例に係る着呼側の携帯電話機１００のモード設定例を示すブロック図である。この例では、予め着呼側で、図４に示すモード選択スイッチ４０が、”しゃべれないモード”に設定される。この”しゃべれないモード”が設定されると、受信切換器４１は、モード選択信号Ｓ２に基づいて接点ａと接点ｃとを接続する。この接続によって、無線受信部２１から受信切換器４１を経由して音声入出力処理部３０に至る音声データ受信経路が構築される。
【００６８】
また、送信切換器４２は、モード選択信号Ｓ２に基づいて接点ｅと接点ｆとを接続する。この接続によって、メール作成ブロック６０から送信切換器４２を経由して無線送信部２２に至るメール送信経路が構築される。
【００６９】
一方、ＣＰＵ５５は、”しゃべれないモード”が設定されると、音声入出力処理部３０に音声処理信号Ｓ１を出力する。音声入出力処理部３０は、音声処理信号Ｓ１に基づいて相手方からの音声出力を許可する音声出力モードに設定される。音声入出力処理部３０は、デジタルの音声データＤinをデジタル／アナログ変換して音声信号Ｓout１、Ｓout２又はＳout３を出力する。音声信号Ｓout１はスピーカー３６ａに出力され、音声信号Ｓout２はスピーカー３６ｂに出力され、音声信号Ｓout３はイヤホン３４に各々出力される。この音声出力モードが設定されると、マイクロフォン１３の音声入力が禁止される。
【００７０】
ＣＰＵ５５は、”しゃべれないモード”が設定されると、無線受信部２１に受信制御信号Ｓ３を出力する。無線受信部２１は受信制御信号Ｓ３に基づいて音声受信モードに設定される。ＣＰＵ５５は”しゃべれないモード”が設定されると、無線送信部２２に送信制御信号Ｓ４を出力する。無線送信部２２は送信制御信号Ｓ４に基づいてテキスト送信モードに設定される。ＣＰＵ５５は、”しゃべれないモード”が設定されると、Ｉ／Ｏポート２５を介して表示データＤ２を表示手段２９に出力する。表示手段２９は表示データＤ２に基づいて送信メール作成画面を表示するようになされる。
【００７１】
図５は、発呼側の携帯電話機１００’のモード設定例を示すブロック図である。この例では、発呼側でも同じ構成の携帯電話機１００’が使用され、そのモード設定例が異なる場合を前提とする。つまり、発呼側では、通常の通話モードが設定される。例えば、図５に示すモード選択スイッチ４０が、通常の通話モードに設定される。
【００７２】
この通常の通話モードが設定されると、発呼側の受信切換器４１は、初期状態で接点ａと接点ｃとが接続されているが、相手方の携帯電話機１００が”しゃべれないモード”が設定されている場合に、モード選択信号Ｓ２に基づいて接点ａから接点ｂに切り換え、接点ｂと接点ｃとを接続するようになされる。この接続によって、無線受信部２１から受信切換器４１を経由してメール受信ブロック６０’に至るメールデータ受信経路が構築される。
【００７３】
メール受信ブロック６０’は、着呼側の携帯電話機１００で説明したメール作成ブロック６０、つまり、制御手段１５、操作パネル１８、Ｉ／Ｏポート２５、画像処理部２６及び表示手段２９が発呼側でメール受信ブロック６０’として機能する場合である。
【００７４】
なお、発呼側の携帯電話機１００’のモード選択スイッチ４０は、相手方の携帯電話機１００が”しゃべれないモード”を設定しているか否かを判別するまで、通常の会話モードに設定されている。初期状態で、発呼側の携帯電話機１００’の送信切換器４２は、モード選択信号Ｓ２に基づいて接点ｄと接点ｆとが接続されているが、その接点ｄと接点ｆとを接続したままにする。この接続によって、音声入出力処理部３０から送信切換器４２を経由して無線送信部２２に至る音声データ送信経路が構築されたままとなされる。
【００７５】
一方、発呼側のＣＰＵ５５は、通常の通話モードが設定されると、音声入出力処理部３０に音声処理信号Ｓ１を出力する。音声入出力処理部３０は、音声処理信号Ｓ１に基づいて相手方への音声出力を許可する音声入力モードに設定される。音声入出力処理部３０は、アナログの音声信号Ｓinをアナログ／デジタル変換してデジタルの音声データＤoutを出力する。音声データＤoutは、送信切換器４２を経由して無線送信部２２に出力される。
【００７６】
発呼側のＣＰＵ５５は、通常の通話モードが設定されると、無線受信部２１に受信制御信号Ｓ３を出力する。無線受信部２１は受信制御信号Ｓ３に基づいて音声送信モードに設定される。また、ＣＰＵ５５は相手方の携帯電話機１００が”しゃべれないモード”が設定されていると判別されると、送信制御信号Ｓ４に基づいて通常の通話モードから”しゃべれないモード”に切り換える。ＣＰＵ５５は無線送信部２２に送信制御信号Ｓ４を出力する。無線送信部２２は送信制御信号Ｓ４に基づいて通常の音声受信モードからテキスト受信モードに設定を変更するようになされる。
【００７７】
ＣＰＵ５５は、”しゃべれないモード”が設定されると、Ｉ／Ｏポート２５を介して表示データＤ２を表示手段２９に出力する。表示手段２９は、”しゃべれないモード”が設定されている相手方からの文字情報に基づく表示データＤ２により、メール受信画面を表示するようになされる。
【００７８】
図６は、”しゃべれないモード”設定時の第１の通信処理システム１０１の構成例を示す概念図である。図６に示す第１の通信処理システム１０１によれば、着呼側である使用者Ａの携帯電話機１００が通信手段３００を介して発呼側である使用者Ｂの携帯電話機１００’に接続される。使用者Ａの携帯電話機１００は図４に示したものであり、使用者Ｂの携帯電話機１００’は図５に示したものである。
【００７９】
第１の通信処理システム１０１では、下向き実線矢印で示す音声データが使用者Ｂから使用者Ａへ送信される。使用者Ａの携帯電話機１００では、”しゃべれないモード”が設定されているので、受信系Ｉがボイスモードに設定され、送信系がテキストモードに設定される。
【００８０】
一方、使用者Ｂの携帯電話機１００’では、使用者Ａの携帯電話機１００が”しゃべれないモード”を設定している判別されると、受信系Ｉ’をテキストモードに設定し、上向き白抜き矢印で示す経路でテキストデータを使用者Ａの携帯電話機１００から受信するようになされる。このとき、使用者Ｂの携帯電話機１００’の送信系II’は、ボイスモードの設定のままである。
【００８１】
このように第１の通信処理システム１０１を構成すると、使用者の意図や、通話設定により、使用者Ｂから発信された通話に対して、使用者Ａがメールで応答できるので、言語発声に不自由な使用者が、音声を使った通話に対応できるようになる。
【００８２】
続いて、本発明に係る通信処理方法について、着呼側及び発呼側の携帯電話機１００，１００’の２つの動作例に分けて説明をする。
【００８３】
［着呼側の携帯電話機］
図７は、第１の実施例に係る着呼側の携帯電話機の通信処理例を示すフローチャートである。この実施例では、相手方からの発呼に対して何らかの通信をする場合を前提とする。つまり、従来方式のようなマナーモードが設定してあって、相手方からの発呼に対して、直ぐにオンフックしてしまうようなことはぜずに、予めモード選択スイッチ４０を”しゃべれないモード”に設定しておく。使用者は予めイヤホン３４を耳に装着しておくとよい。
【００８４】
これらを通信処理条件にして、図７に示すフローチャートのステップＣ１でＣＰＵ５５は、スリーピング状態にある当該携帯電話機１００で電源オン情報を検出する。当該携帯電話機１００でスリーピング状態とは、最低動作機能、例えば、時計機能及びＣＰＵ５５の判断機能等が動作できる程度に電源が供給され、他の回路には電源が供給されていない状態である。この例では、電源オン情報検出（パワーオン）で待ち受け処理を開始する。そして、ＣＰＵ５５は、ステップＣ２で”しゃべれないモード”を設定するか否かを受け付ける。この受付処理では、例えば、メニュー画面に”しゃべれないモード”や通常の会話モード（ノーマルモード）を表示する。そのメニュー画面で”しゃべれないモード”を「設定する」または「設定しない」を表示し、使用者にその選択をしてもらう。ＣＰＵ５５は、これに基づいて制御を継続するようになされる。”しゃべれないモード”を「設定しない」場合は、通常の会話モードが自動的に選択される。
【００８５】
”しゃべれないモード”を設定する場合は、ステップＣ３に移行して、”しゃべれないモード”の設定処理を実行する。”しゃべれないモード”の設定処理に関しては、表示手段２９に表示したメニュー画面で使用者が”しゃべれないモード”を「設定する」を選択したことにより、このモード設定情報に係る不揮発データＤ４がＥＥＰＲＯＭ５２に格納される。ＣＰＵ５５は、以後、ＥＥＰＲＯＭ５２からモード設定情報に係る不揮発データＤ４が読み出せる場合は、”しゃべれないモード”が設定されていると判断する。
【００８６】
ＣＰＵ５５は、不揮発データＤ４に基づいてモード選択スイッチ４０を制御する。モード選択スイッチ４０において、受信切換器４１は、”しゃべれないモード”が設定されていることから、モード選択信号Ｓ２に基づき、接点ａと中点ｃとを接続する。モード選択信号Ｓ２はＣＰＵ５５から受信切換器４１に出力される。この接続によって、音声データＤinが無線受信部２１から音声入出力処理部３０へ出力可能となされる。
【００８７】
また、送信切換器４２は、”しゃべれないモード”が設定されていることから、モード選択信号Ｓ２に基づいて、接点ｅと中点ｆとを接続する。この接続によって、メールデータＤoutがメール作成ブロック６０から無線送信部２２へ出力可能となされる。
【００８８】
その後、ステップＣ４に移行して相手方からの着呼を待機する。このとき、ＣＰＵ５５は、相手方からの発呼を受信し、先に設定された”しゃべれないモード”に基づいて受信処理を実行する。ステップＣ５でＣＰＵ５５は、”しゃべれないモード”の設定に従って通信制御を分岐する。”しゃべれないモード”が設定されている場合は、ステップＣ６及びＡ７に移行する。
【００８９】
ステップＣ６では、ＣＰＵ５５は相手方から音声データを受信して、音声出力処理を実行する。受信系では、音声受信処理を実行する。例えば、着呼時、相手方からの無線電波をアンテナ１６及びアンテナ共用器２３を介して無線基地局等から受信する。アンテナ共用器２３に接続された無線受信部２１は、相手方からの発呼を受信し、”しゃべれないモード”に基づいてアンテナ１６から導かれる受信データを受信処理する。例えば、無線受信部２１は、受信制御信号Ｓ３に基づいて、音声データ等を復調処理し、復調後の音声データＤinを音声入出力処理部３０に出力するようになされる。受信制御信号Ｓ３は、ＣＰＵ５５から無線受信部２１へ出力される。
【００９０】
音声入出力処理部３０では、デジタルの音声データＤinをデジタル／アナログ変換した後の音声信号Ｓout１、Ｓout２又はＳout３等を出力するようになされる。音声信号Ｓout１はスピーカー３６ａに出力され、音声信号Ｓout２はスピーカー３６ｂに出力され、音声信号Ｓout３はイヤホン３４に各々出力される。このとき、使用者は、イヤホン３４で相手方の音声を聞くようにするとよい。これは携帯電話機本体の操作パネル１８及び表示手段２９を使用して文字入力するためである。
【００９１】
この音声受信処理に並行して、ステップＣ７で、ＣＰＵ５５は受信した相手方からの発呼に対して文字入力処理を実行する。このとき、使用者は、操作パネル１８及び表示手段２９を使用して相手方からの音声（話声）に応答するように、文字情報を入力する。メール作成ブロック６０で、ＣＰＵ５５は、Ｉ／Ｏポート２５を介して操作パネル１８及び表示手段２９の入出力を制御する。
【００９２】
使用者は、操作パネル１８のアルファベットキーやひらがなキー等を操作して、文字情報をＣＰＵ５５を介して画像処理部２６等に入力するように操作される。画像処理部２６では、文字情報をＨＴＭＬ等の所定のテキストデータに変換してメールデータとするような画像処理がなされる。画像処理後のメールデータは表示データＤ２となって表示手段２９に供給される。これと共に、テキストデータ（メールデータ）Ｄoutは無線送信部２２に転送される。
【００９３】
このように、操作パネル１８のメール作成ブロック６０によって作成されたテキストデータは相手方に送信される。例えば、テキストデータＤout等は、送信制御信号Ｓ４に基づいて無線送信部２２で変調処理され、変調後の送信データがアンテナ共用器２３を介してアンテナ１６に供給される。送信制御信号Ｓ４はＣＰＵ５５から無線送信部２２へ出力される。アンテナ共用器２３から供給される無線電波は、アンテナ１６を介して、無線基地局等に向けて輻射するようになされる。その後、ステップＣ８に移行してＣＰＵ５５は、オンフックされたかを判別する。オンフックされない場合は、ステップＣ６及びＡ７に戻って上述した処理を繰り返すようになされる。オンフックされた場合は、ステップＣ１１に移行する。
【００９４】
なお、上述のステップＣ２で”しゃべれないモード”を設定しない場合は、ステップＣ４に移行して相手方からの着呼を待機する。このとき、ＣＰＵ５５は、相手方からの発呼を受信し、先に自動設定された通常の会話モードに基づいて受信処理を実行する。ステップＣ５でＣＰＵ５５は、（通常の会話モード）の設定に従って通信制御を分岐する。通常の会話モードが選択されている場合は、ステップＣ９に移行してＣＰＵ５５は、通常の通話モード処理を実行する。この会話モード処理では、受信切換器４１がモード選択信号Ｓ２に基づいて、接点ｂと中点ｃとを接続する。この接続によって、音声データＤinが無線受信部２１から音声入出力処理部３０へ取り込まれる。送信切換器４２は、モード選択信号Ｓ２に基づいて、接点ｄと中点ｆとを接続する。モード選択信号Ｓ２はＣＰＵ５５から送信切換器４２に出力される。この接続によって、音声データＤoutが音声入出力処理部３０から無線送信部２２へ出力される。
【００９５】
その後、ステップＣ１０に移行してＣＰＵ５５は、オンフックされたかを判別する。オンフックされない場合は、ステップＣ９に戻って上述した通常の通話モード処理を繰り返すようになされる。オンフックされた場合は、ステップＣ１１に移行する。ステップＣ１１では、ＣＰＵ５５は通信処理の終了判別をする。ＣＰＵ５５は、電源オフ情報を検出して通信処理を終了する。電源オフ情報が検出されない場合は、ステップＣ２に戻って上述した通信処理を繰り返すようになされる。
【００９６】
［発呼側］
図８は、第１の実施例に係る発呼側の携帯電話機の通信処理例を示すフローチャートである。この実施例では、使用者Ｂが相手方へ発呼して何らかの通信をする場合を前提とする。また、発呼先の使用者（相手方）Ａの携帯電話機１００が”しゃべれないモード”を設定していた場合、当該発呼側の携帯電話機１００’は、これに呼応するように、通常の会話モードから”しゃべれないモード”へ設定を切り換えるようにモード選択スイッチ４０が制御される。
【００９７】
これらを通信処理条件にして、図７に示すフローチャートのステップＥ１でＣＰＵ５５は、スリーピング状態にある当該携帯電話機１００’で電源オン情報を検出する。この例では、電源オン情報検出（パワーオン）と共に、ＣＰＵ５５は、ステップＥ２に移行して発呼要求を待機する。発呼要求が有った場合は、ステップＥ３で相手方の電話番号にダイヤルインして携帯電話機１００を呼び出す。例えば、使用者Ｂは、周知の電話帳機能を利用して使用者Ａの電話番号情報を選択する。ＣＰＵ５５は、選択された電話番号情報をＥＥＰＲＯＭ５２から読み出して無線送信部２２に出力する。無線送信部２２は、周知の発呼処理を実行して相手方の携帯電話機１００を呼び出す。
【００９８】
そして、ステップＥ４に移行して、ＣＰＵ５５は、相手方の携帯電話機１００から送信されてくるモード設定信号の受信及びその判別処理を実行する。このとき、無線基地局等から到来した無線電波は、アンテナ１６で受信され、アンテナ共用器２３を介して無線受信部２１に入力される。例えば、アンテナ共用器２３から供給される受信データ等は、受信制御信号Ｓ３に基づいて無線受信部２１で復調処理され、復調後の受信データがモード選択スイッチ４０を経由してメール受信ブロック６０’に入力される。受信制御信号Ｓ３はＣＰＵ５５から無線受信部２１へ出力される。
【００９９】
メール受信ブロック６０’で、ＣＰＵ５５は、相手方の携帯電話機１００が”しゃべれないモード”を設定しているか否かを判別する。”しゃべれないモード”の設定有無の判断基準は、例えば、ＥＥＰＲＯＭ５２にデフォルト値として格納されている、モード設定情報に係る不揮発データＤ４と、相手方の携帯電話機１００から受信したモード設定信号のデコード結果とを比較する。この比較結果が一致した場合は、”しゃべれないモード”が設定されている。不一致の場合は、”しゃべれないモード”が設定されておらず、通常の会話モードが設定されていると判断される。
【０１００】
もちろん、これに限られることはなく、音声ガイダンスを相手方から受けて、発呼側で使用者Ｂによる手動設定としてもよい。例えば、「おかけになった相手方は、現在、”しゃべれないモード”を設定中です。」を音声ガイドすると共に、発呼側の「通常の会話モードを”しゃべれないモード”に変更を促す」旨の音声ガイダンスを流すような処理で対処することも可能である。
【０１０１】
この”しゃべれないモード”又は通常の会話モードの判別結果で、ＣＰＵ５５はステップＥ５に移行して通信制御を分岐する。”しゃべれないモード”が設定されている場合は、ステップＥ６及びＥ７に移行する。このとき、受信切換器４１は、予め設定されている通常の会話モードから”しゃべれないモード”に設定を変更する。例えば、モード選択信号Ｓ２に基づいて、接点ａから接点ｂに切り換え、その接点ｂと中点ｃとを接続する。モード選択信号Ｓ２はＣＰＵ５５から受信切換器４１に出力される。この接続によって、テキストデータＤinが無線受信部２１からメール受信ブロック６０’へ出力可能となされる。なお、送信切換器４２は、通常の会話モードが設定されているままである。
【０１０２】
ステップＥ６では、ＣＰＵ５５は音声出力処理を実行して、使用者Ｂである着呼側へ音声データを送信する。このとき、携帯電話機１００’で送話器を構成するマイクロフォン１３は、使用者Ｂの声を集音して音声信号Ｓinを音声入出力処理部３０へ出力する。
【０１０３】
音声入出力処理部３０では、アナログの音声信号Ｓinをアナログ／デジタル変換した後の音声データＤoutを出力するようになされる。また、送信系では、音声送信処理を実行する。例えば、無線送信部２２は、送信制御信号Ｓ４に基づいて音声データＤoutを所定の変調方式により変調処理し、変調後の送信データをアンテナ共用器２３を介してアンテナ１６に供給する。送信制御信号Ｓ４はＣＰＵ５５から無線送信部２２へ出力される。送信データは、アンテナ１６から無線電波となって無線基地局等に向けて輻射される。
【０１０４】
この音声送信処理に並行して、ステップＥ７で、ＣＰＵ５５はテキスト受信処理を実行する。このとき、無線受信部２１に入力された受信データは、受信制御信号Ｓ３に基づいて無線受信部２１で復調処理され、復調後の受信データ（テキストデータ）がモード選択スイッチ４０を経由してメール受信ブロック６０’に入力される。受信制御信号Ｓ３はＣＰＵ５５から無線受信部２１へ出力される。
【０１０５】
メール受信ブロック６０’では、ＣＰＵ５５がＩ／Ｏポート２５を介して操作パネル１８及び表示手段２９の入出力を制御する。ＣＰＵ５５は、テキストデータＤinを画像処理部２６に転送する。画像処理部２６では、テキストデータを文字情報に変換するような画像処理がなされる。画像処理後の文字情報は表示データＤ２となって表示手段２９に供給される。表示手段２９はメール受信画面を表示する。使用者Ｂは、メール受信画面を視ながら、送話器を構成するマイクロフォン１３で音声（話声）により応答するようになされる。
【０１０６】
その後、ステップＥ８に移行してＣＰＵ５５は、オンフックされたかを判別する。オンフックされない場合は、ステップＥ６及びＥ７に戻って上述した処理を繰り返すようになされる。オンフックされた場合は、ステップＥ１１に移行する。
【０１０７】
また、上述のステップＥ５で相手方の携帯電話機１００が通常の会話モードを選択している場合は、ステップＥ９に移行してＣＰＵ５５は、通常の通話モード処理を実行する。この会話モード処理では、受信切換器４１がモード選択信号Ｓ２に基づいて、接点ｂと中点ｃとを接続する。この接続によって、音声データＤinが無線受信部２１から音声入出力処理部３０へ取り込まれる。送信切換器４２は、モード選択信号Ｓ２に基づいて、接点ｄと中点ｆとを接続する。モード選択信号Ｓ２はＣＰＵ５５から送信切換器４２に出力される。この接続によって、音声データＤoutが音声入出力処理部３０から無線送信部２２へ出力される。
【０１０８】
その後、ステップＥ１０に移行してＣＰＵ５５は、オンフックされたかを判別する。オンフックされない場合は、ステップＥ９に戻って上述した通常の通話モード処理を繰り返すようになされる。オンフックされた場合は、ステップＥ１１に移行する。ステップＥ１１では、ＣＰＵ５５は通信処理の終了判別をする。ＣＰＵ５５は、電源オフ情報を検出して通信処理を終了する。電源オフ情報が検出されない場合は、ステップＥ２に戻って上述した通信処理を繰り返すようになされる。
【０１０９】
このように、本発明に係る第１の実施例としての通信処理システムによれば、相手方からの発呼に対して何らかの通信処理をする場合に、本発明に係る携帯電話機１００及び１００’や通信処理方法等が応用される。着呼側の携帯電話機１００は、”しゃべれないモード”を設定して音声受信処理及び文字入力送信処理を実行し、発呼側の携帯電話機１００’は”しゃべれないモード”が設定された着呼側の携帯電話機１００に対して音声送信処理及び文字受信処理を実行する。
【０１１０】
従って、相手方からの発呼に対して着呼側の携帯電話機１００は、音声入力送信処理に依存することなく、文字入力送信処理によって相手方と意志の疎通を図ることができる。これにより、着呼側の携帯電話機１００において、相手方からの発呼に対して音声入力送信処理が制限される環境、例えば、満員電車の中や、会議中などの公共の場や、会話を禁止されている区域等において、相手方からの音声受信内容に対して、本来、音声入力送信処理すべき返信内容をその場で文字情報により相手方に返信することができる。当該携帯電話機１００の使用勝手が格段に向上できるようになる。特に、言語発声に不自由な使用者が、音声を使った通話に対応できるようになる。
【実施例２】
【０１１１】
図９は、第２の実施例に係る発呼側の携帯電話機１００’の受信処理例を示すブロック図である。
図９に示す発呼側の携帯電話機１００’の音声入出力処理部３０にはテキスト音声変換部３８が設けられる。この例では、無線受信部２１がテキスト受信モードに設定されているが、図９に示すモード選択スイッチ４０において、受信切換器４１がモード選択信号Ｓ２に基づいて接点ａと接点ｃとを接続する（通常の会話モード）。この接続によって、無線受信部２１から受信切換器４１を経由して音声入出力処理部３０に至るテキストデータ受信経路が構築される。
【０１１２】
音声入出力処理部３０は、音声処理信号Ｓ１に基づいて音声入出力モードに設定される。音声処理信号Ｓ１は、ＣＰＵ５５から音声入出力処理部３０へ出力される。この音声入出力モードでは、マイクロフォン１３の音声入力が許可されている。なお、送信切換器４２は接点ｄと接点ｆとを接続したままである。つまり、音声入出力処理部３０から送信切換器４２を経由して無線送信部２２に至る音声データ送信経路が構築されたままである。
【０１１３】
上述のテキスト音声変換部３８は、無線受信部２１から受信切換器４１を経由して入力したテキストデータを音声処理信号Ｓ１に基づいて音声データに変換するように動作する。音声データは、デジタル・アナログ変換され、音声信号Ｓout１やＳout２等となる。音声信号Ｓout１はスピーカー３６ａに出力され、音声信号Ｓout２はスピーカー３６ｂに各々出力される。
【０１１４】
図１０は、”しゃべれないモード”設定時の第２の通信処理システム１０２の構成例を示す概念図である。図１０に示す第２の通信処理システム１０２によれば、発呼側である使用者Ａの携帯電話機１００が通信手段３００を介して着呼側である使用者Ｂの携帯電話機１００’に接続される。携帯電話機１００は図４に示したものであり、携帯電話機１００’は図９に示したものである。
【０１１５】
第２の通信処理システム１０２では、下向き実線矢印で示す音声データが使用者Ｂから使用者Ａへ送信される。使用者Ａの携帯電話機１００では、”しゃべれないモード”が設定されているので、受信系Ｉがボイスモードに設定され、送信系がテキストモードに設定される。
【０１１６】
一方、使用者Ｂの携帯電話機１００’では、使用者Ａの携帯電話機１００が”しゃべれないモード”を設定している判別されると、受信系Ｉ’をテキストモードに設定し、上向き白抜き矢印で示す経路でテキストデータを使用者Ａの携帯電話機１００から受信するようになされる。第２の通信処理システム１０２では、テキスト音声変換部３８がテキストデータを音声データに変換する点で第１の通信処理システム１０１と異なる。
【０１１７】
つまり、テキストモードが設定された受信系Ｉ’から右向き白抜き矢印で示す経路でボイスモードが設定された送信系II’（この例では、音声入出力処理部３０）へ転送される。テキストデータは、音声入出力処理部３０で音声処理信号Ｓ１に基づいて音声データに変換される。上向き実線矢印で示す音声データに基づく音声が使用者Ｂに伝達される。なお、携帯電話機１００’の送信系II’は、ボイスモードの設定のままである。
【０１１８】
このように第２の通信処理システム１０２を構成すると、第１の通信処理システム１０１の効果に加えて、発呼側の携帯電話機１００’において、使用者Ｂは通常の会話モード（ボイスモード）で受け答えできるようになる。
【実施例３】
【０１１９】
図１１は、第３の実施例に係る着呼側の携帯電話機１００の送信処理例を示すブロック図である。
図１１に示す着呼側の携帯電話機１００のメール受信ブロック６０’には音声文字変換手段の一例となる音声テキスト変換部４８が設けられる。この例では、無線受信部２１が音声受信モードに設定されているが、図１１に示すモード選択スイッチ４０において、受信切換器４１がモード選択信号Ｓ２に基づいて接点ｂと接点ｃとを接続する（メールモード）。この接続によって、無線受信部２１から受信切換器４１を経由してメール受信ブロック６０’に至る音声データ受信経路が構築される。
【０１２０】
メール受信ブロック６０’において、上述の音声テキスト変換部４８はシステムバス１９に接続され、無線受信部２１から転送を受けた音声データをテキストデータ（メールデータ）に変換するように動作する。音声テキスト変換部４８には、特許公報（特許第３１２１５３０号）に記載の音声認識装置や、特許公報（特許第３４８４０７７号）に記載の音声認識装置が応用できる。テキストデータは画像処理部２６で文字情報に変換される。文字情報は画像処理部２６で画像処理された後に、表示データＤ２となる。表示データＤ２は表示手段２９に供給される。
【０１２１】
ＣＰＵ５５は、”しゃべれないモード”が設定されているので、Ｉ／Ｏポート２５を介して表示データＤ２を表示手段２９に出力する。表示手段２９は、相手方からの文字情報に基づく表示データＤ２により、音声テキスト画面（メール受信画面）を表示する。なお、テキスト送信機能については、図４で説明した通りである。
【０１２２】
図１２は、”しゃべれないモード”設定時の第３の通信処理システム１０３の構成例を示す概念図である。図１２に示す第３の通信処理システム１０３によれば、着呼側である使用者Ａの携帯電話機１００が通信手段３００を介して発呼側である使用者Ｂの携帯電話機１００’に接続される。使用者Ａの携帯電話機１００は、図１１に示したものであり、使用者Ｂの携帯電話機１００’は図９に示したものである。
【０１２３】
第３の通信処理システム１０３では、下向き実線矢印で示す音声データが使用者Ｂから使用者Ａへ送信される。使用者Ａの携帯電話機１００では、”しゃべれないモード”が設定されているので、受信系Ｉがボイスモードに設定され、送信系IIがテキストモードに設定される。
【０１２４】
一方、使用者Ｂの携帯電話機１００’では、使用者Ａの携帯電話機１００が”しゃべれないモード”を設定している判別されると、受信系Ｉ’をテキストモードに設定し、上向き白抜き矢印で示す経路でテキストデータを使用者Ａの携帯電話機１００から受信するようになされる。第３の通信処理システム１０３では、着呼側の携帯電話機１００の受信系Ｉがボイスモードを設定しているが、音声テキスト変換部４８で音声データをテキストデータに変換する点で第２の通信処理システム１０２と異なる。なお、携帯電話機１００’の送信系II’は、ボイスモードの設定のままである。
【０１２５】
このように第３の通信処理システム１０３を構成すると、第１及び第２の通信処理システム１０１、１０２の効果に加えて、着呼側の携帯電話機１００において、使用者Ｂは通常のメールモード（チャットモード）で受け答えできるようになる。
【実施例４】
【０１２６】
図１３は、第４の実施例に係る通信処理システム１０４の構成例を示す概念図である。図１３に示す”しゃべれないモード”設定時の第４の通信処理システム１０４は、第１の実施例と第３の実施例とを組み合わせたシステムである。着呼側である使用者Ａの携帯電話機１００が通信手段３００を介して発呼側である使用者Ｂの携帯電話機１００’に接続される。使用者Ａの携帯電話機１００は図１１に示したものであり、使用者Ｂの携帯電話機１００’は図５に示したものである。
【０１２７】
第４の通信処理システム１０４では、実線矢印で示す音声データが使用者Ｂから使用者Ａへ送信される。使用者Ａの携帯電話機１００では、受信系Ｉがボイスモードに設定され、送信系IIが”しゃべれないモード”に設定される。
【０１２８】
一方、使用者Ｂの携帯電話機１００’では、使用者Ａの携帯電話機１００が”しゃべれないモード”を設定している判別されると、受信系Ｉ’をテキストモードに設定し、白抜き矢印で示す経路でテキストデータを使用者Ａの携帯電話機１００から受信するようになされる。送信系II’はボイスモードである。第４の通信処理システム１０４では、着呼側の携帯電話機１００の受信系Ｉがボイスモードに設定されるが、音声テキスト変換部４８で音声データをテキストデータに変換する点で第１及び２の通信処理システム１０１、１０２と異なる。なお、使用者Ｂの携帯電話機１００’の送信系II’は、ボイスモードの設定のままである。
【０１２９】
このように第４の通信処理システム１０４を構成すると、第１の通信処理システム１０１の効果に加えて、着呼側の携帯電話機１００において、第３の通信処理システム１０３と同様にして、使用者Ｂは通常のメールモード（チャットモード）で受け答えできるようになる。
【０１３０】
また、使用者（相手方）Ｂからの着呼に対して音声入力送信処理が制限される環境においても、相手方からの音声受信内容に対して、使用者Ａは、本来、音声入力送信処理すべき返信内容をその場で文字情報により相手方に返信することができる。使用者Ｂはメールで受け、音声でその答えを送ることができ、相手方と意志の疎通を図ることができる。
【産業上の利用可能性】
【０１３１】
本発明は、相手方からの発呼に応じて通話をする通話機能と、随時、相手方に対して文字情報を送信するメール機能を備えた携帯電話機に適用して極めて好適である。
【図面の簡単な説明】
【０１３２】
【図１】本発明に係る各実施例としての通信処理システム１の構成例を示す概念図である。
【図２】各実施例に係る”しゃべれないモード”機能付きの携帯電話機１００の外観例を示す概念図である。
【図３】携帯電話機１００の内部構成例を示すブロック図である。
【図４】第１の実施例に係る着呼側の携帯電話機１００のモード設定例を示すブロック図である。
【図５】発呼側の携帯電話機１００’のモード設定例を示すブロック図である。
【図６】”しゃべれないモード”設定時の第１の通信処理システム１０１の構成例を示す概念図である。
【図７】第１の実施例に係る着呼側の携帯電話機１００の通信処理例を示すフローチャートである。
【図８】その発呼側の携帯電話機１００’の通信処理例を示すフローチャートである。
【図９】第２の実施例に係る発呼側の携帯電話機１００’の受信処理例を示すブロック図である。
【図１０】”しゃべれないモード”設定時の第２の通信処理システム１０２の構成例を示す概念図である。
【図１１】第３の実施例に係る着呼側の携帯電話機１００の送信処理例を示すブロック図である。
【図１２】”しゃべれないモード”設定時の第３の通信処理システム１０３の構成例を示す概念図である。
【図１３】第４の実施例に係る通信処理システム１０４の構成例を示す概念図である。
【図１４】従来例に係る通信処理システム２０１の構成例を示す概念図である。
【図１５】メールモード時の通信処理例を示す概念図である。
【符号の説明】
【０１３３】
１，１０１〜１０４・・・通信処理システム、１５・・・制御手段、１８・・・操作パネル（操作手段，文字入力手段）、２１・・・無線受信部（受信手段）、２２・・・無線送信部（送信手段）、２６・・・画像処理部、２９・・・表示手段、３０・・・音声入出力処理部、３４・・・イヤホン、３８・・・テキスト音声変換部（文字音声変換手段）、４０・・・モード選択スイッチ（選択手段）、４８・・・音声テキスト変換部（音声文字変換手段）、５５・・・ＣＰＵ（制御手段）、６０・・・メール作成ブロック、６０’・・・メール受信ブロック、１００，１００’・・・携帯電話機（通信処理装置）
【図１】
2005354320.tif 000003
【図２】
2005354320.tif 000004
【図３】
2005354320.tif 000005
【図４】
2005354320.tif 000006
【図５】
2005354320.tif 000007
【図６】
2005354320.tif 000008
【図７】
2005354320.tif 000009
【図８】
2005354320.tif 000010
【図９】
2005354320.tif 000011
【図１０】
2005354320.tif 000012
【図１１】
2005354320.tif 000013
【図１２】
2005354320.tif 000014
【図１３】
2005354320.tif 000015
【図１４】
2005354320.tif 000016
【図１５】
2005354320.tif 000017